(57)【要約】【課題】清涼飲料のディスペンサーにおいて、電気系統の接続不良により生ずる漏電に対処する漏電ブレーカーを組み込むが、その漏電ブレーカーが作動したときに、それが外部から判断し得るようにし、かつ、その対策の指示が、ディスペンサーを取り扱う人に適確に知らせるようにする。【解決手段】清涼飲料のディスペンサーにおいて、それの機体に組込まれる冷凍機・アジテータ等の駆動モータの作動を制御するよう前記機体に装設するコントローラに、電気系統に生ずる漏電を検出して作動する漏電ブレーカーを組込み、機体の外面で、ディスペンサーを扱い操作する店員が直視し得る部位に、表示ランプまたは液晶ディスプレーよりなる表示装置を装設しておき、この表示装置に、漏電ブレーカーが作動したときにそれを表示せしめて、点検を指示するようにする。【選択図】図３
0003107045.tif 000002
【実用新案登録請求の範囲】
【請求項１】
清涼飲料のディスペンサーにおいて、それの機体に組込まれる冷凍機・アジテータ等の駆動モータの作動を制御するよう前記機体に装設するコントローラに、電気系統に生ずる漏電を検出して作動する漏電ブレーカーを組込み、機体の外面で、ディスペンサーを扱い操作する店員が直視し得る部位に、液晶ディスプレーよりなる表示装置を装設し、この表示装置に、漏電ブレーカーを、それが作動したときにその作動を表示面に表示せしめるよう接続したことを特徴とする清涼飲料のディスペンサーにおける保守管理装置。
【請求項２】
清涼飲料のディスペンサーにおいて、それの機体に組込まれる冷凍機・アジテータ等の駆動モータを制御するよう前記機体に装設せるコントローラに、通電中の電流の電圧を検出する電圧センサを組込み、機体の外面には、機体を扱い操作する店員が直視し得る部位に、液晶ディスプレーよりなる表示装置を装設し、その表示装置に、前記電圧センサを、その電圧センサが通電中に規準電圧より降下した電圧を検出したときにそれを表示面に表示するよう接続したことを特徴とする清涼飲料のディスペンサーにおける保守管理装置。
【請求項３】
清涼飲料のディスペンサーにおいて、それの機体に組込む水槽内に、その水槽に張込む冷却水の水位を検出するレベルセンサを装設し、機体の外面には、ディスペンサーを扱い操作する店員が直視し得る部位に、表示ランプまたは液晶ディスプレーよりなる表示装置を装設し、その表示装置に、レベルセンサを、そのレベルセンサが水槽内の冷却水の水位が規準水位により降下したことを検出したときに、それを表示面に表示するよう接続したことを特徴とする清涼飲料のディスペンサーにおける保守管理装置。
【請求項４】
清涼飲料のディスペンサーにおいて、それの機体に組込む水槽内に、その水槽に張込んだ冷却水の通電度を検出する水質センサを装設し、機体の外面には、ディスペンサーを扱い操作する店員が直視し得る部位に、表示ランプまたは液晶ディスプレーよりなる表示装置を装設し、その表示装置に、前記水質センサを、水槽内の冷却水の水質が経時変化により通電度を低下させてきたときに、それを表示面に表示せしめるよう接続したことを特徴とする清涼飲料のディスペンサーにおける保守管理装置。
【請求項５】
清涼飲料のディスペンサーにおいて、それの冷凍機のコンプレッサ、放熱器、冷却ファン等を収蔵せしめるよう機体に形成する機械室に、その機械室内の温度を検出する温度センサを装設し、機体の外面には、ディスペンサーを扱い操作する店員が直視し得る部位に、表示ランプまたは液晶ディスプレーよりなる表示装置を装設し、その表示装置に、前記温度センサを、その温度センサが機械室内の異常な昇温を検出したときにそれを表示面に表示せしめるよう接続したことを特徴とする清涼飲料のディスペンサーにおける保守管理装置。
【考案の詳細な説明】
【技術分野】
【０００１】
本考案は、ビール・炭酸水などの清涼飲料を、冷媒を循環させる冷凍機と組み合わせて機体内に装設した水槽内に配設する蛇管内を流過させて氷点近くの低温に冷却し、機体の前面に設けたドラフトコックから、ジョッキ等の容器に分配して注ぎ出すようにした清涼飲料のディスペンサーにおいて、機体内に組み込んだ各機器が正常に作動しているように保持せしめる保守管理装置についての改良に関する。
【背景技術】
【０００２】
上述の清涼飲料のディスペンサーＡは、通常、図１にあるように、箱状に形成した機体１内を、例えば上下に区画して２分し、その一半側である上半側に冷却水ｗを張り込む水槽ａを装設し、その水槽ａの内部にビール等の清涼飲料を流過させる蛇管２と、冷却水ｗ中に氷ｋを生成させるために冷媒を循環させる冷凍機３の冷媒蒸発管３０と、駆動モータＭ１により駆動せしめて冷却水ｗを撹拌流動させるアジテータ４とを配設し、他半側の機体１の下半側は、機械室ｂに形成して、ここに前述の水槽ａ内に張り込む冷却水ｗ中に氷ｋを生成するための前記冷媒蒸発管３０に送る冷媒を圧縮する冷凍機３のコンプレッサ３１と、そのコンプレッサ３１により圧縮した冷媒を放熱させる放熱器３２と、それに冷却風を送るための冷却ファン３３と、それを駆動するファンモータ３４等を収蔵せしめて装設する。
【０００３】
この水槽ａ内に配設した蛇管２は、それの上流側の接続口２ａを、機体１とは別に離した適宜の場所に設置しておくビールの生樽などの清涼飲料が填められたタンクＴに導管２０を介して接続するとともに、そのタンクＴに炭酸ガスが填められたボンベ等の圧力源Ｑを接続し、また、蛇管２の下流側の接続口２ｂを、機体１の前面側に装設せるドラフトコック５に接続しておき、これにより、電源コード６を商用電源のコンセントに接続して、冷凍機３のコンプレッサ３１の駆動モータ（図示省略）・ファンモータ３４・アジテータ４の駆動モータＭ１等をオンとしておいて、この状態において、機体１の前面に装設してあるドラフトコック５を操作することで、機体１内の水槽ａ中の蛇管２を流過して冷却された清涼飲料がドラフトコック５からジョッキ等の容器Ｂに汲み出されるようにする。
【０００４】
そして、水槽ａ内の冷却水ｗ中に氷ｋを生成するための冷凍機３は、それの作動を、水槽ａ内の冷却水ｗ中に設ける氷センサ７により間欠作動するよう制御する。
【０００５】
この氷センサ７は、氷ｋと冷却水ｗとで電流の通電度が違うことを利用して、一対の電極７０・７１間に氷ｋが存在しているか否かを検出するようにしたもので、この氷センサ７を、冷媒蒸発管３０のまわりの所望位置に配設して、この氷センサ７まで氷ｋが生成されてきて電極７０・７１が氷ｋで埋められたときに冷凍機３の駆動をオフとし、氷センサ７が冷却水ｗ中に露出する状態となったときに冷凍機３の駆動をオンとするように、機体１に装備せしめるコントローラｃに組み込む冷凍機３の駆動回路に接続し、これにより、この冷凍機３の作動が、冷却水ｗ中に所定量の氷ｋが生成されることでオフとなり、この氷ｋが規定した量まで融解してくることでオンとなるようにしている。
【０００６】
また、機体１の機壁で、機械室ｂの周壁となる部位の冷却ファン３３の吸い込み側と対向する部位には外気を取り込む通気口１０を設けて、それの内側部位に、フィルタＦを装脱自在に設け、また、機械室ｂの前記通気口１０と反対側の部位に排気口１１を設け、さらに、機体１の底面側に、店のカウンタ等の適宜の場所にディスペンサーＡを設置するための支脚１２…を設けた構成としている。
【考案の開示】
【考案が解決しようとする課題】
【０００７】
上述の如く構成される清涼飲料のディスペンサーＡは、機体１内に、冷凍機３やアジテータ４等の通電により駆動される機器が装備されることで、それの電気系統の接続不良や不調により、例えば、手を触れたときに電気を感ずる漏電や、各機器が正常に作動しない種々の不具合を生ずる問題がある。
【０００８】
電気系統の接続不良により生ずる漏電については、コントローラｃに漏電ブレーカーを組み込んでおくことで対処し得ることになるが、そのようにしても、コントローラｃは通常、機体１の内部に装設され、組み込んだ漏電ブレーカーの作動により電源がオフとなったときに、その電源オフの状態およびその原因が外部から判断できず、特に、この清涼飲料のディスペンサーＡを取り扱うビヤホール等の店員が、ドラフトコック５を操作して清涼飲料を汲み出すことだけにしか関心がなく、取扱説明書を見ることなど殆どないことで、故障として、その対策をディスペンサーＡのメーカーに要求してくる問題がある。
【０００９】
また、ドラフトコック５の操作により容器Ｂに注ぎ出す清涼飲料の冷却が不充分である、とのクレームの対策として点検を行うと、その故障原因が、電源コードを商用電源のコンセントに差し込む接続を、タコ足配線により行っていることにより電圧が低下していることに起因して冷凍機３、アジテータ４等の作動に不調をきたしていることが多く、種々の不具合を生ずる電圧の低下を気付かずに使用されている場合が多い問題がある。
【００１０】
また、この清涼飲料のディスペンサーＡに生ずる取り出す清涼飲料の冷却が不充分な不具合・故障は、それによるクレームの対策として機体１を点検すると、水槽ａ内の冷却水ｗを、排水口から取り出して、お冷や、として用いていたことで、水槽ａ内の冷却水ｗの水位が基準とするレベルから著しく低下している場合や、氷センサ７の電極７０・７１が水垢の付着などで汚損していることにより感度が低下して、氷ｋが電極７０・７１間に無くても存在しているように作動して、冷凍機３の作動をオフに制御している場合や、水槽ａ内の冷却水ｗが長時間の経過で、電解質の消毒剤の塩素が消失するなどの水質の変化により、氷センサ７が正常に作動しないようになっている場合など、冷凍機３およびアジテータ４自体の機能には故障がなく、単に取り扱いに注意を欠いていることに起因していることが多い問題がある。
【００１１】
さらに、通気口１０に設けるフィルタＦの目詰まりによって、冷却ファン３３による冷媒の放熱に不調を来していることによる場合も多い。
【００１２】
本考案は、従前の清涼飲料のディスペンサーに生じている上述の問題を解消せしめるためになされたものであって、電気系統の接続不良により生ずる漏電に対処する漏電ブレーカーを組み込むが、その漏電ブレーカーが作動したときに、それが外部から判断し得るようにし、かつ、その対策の指示が、ディスペンサーを取り扱う人に適確に知らせるようにする新たな手段、およびこの手段において用いる機体の外面に設ける表示装置を利用し、これに、電圧が低下していることを知らせる表示手段、また、水槽内の冷却水の水位が低下していること、氷センサの電極に汚れがあること、冷却水の水質が経時変化で交換を要すること、フィルタの目詰まりがひどいこと、などを知らせ、かつ、それらの対策のための指示を表示するようにして、保守管理が迅速・適確に行なわれるようにすることを目的とするものである。
【課題を解決するための手段】
【００１３】
そして、本考案においては、上述の目的を達成するための手段として、清涼飲料のディスペンサーにおいて、それに組込まれる冷凍機、アジテータ等の駆動モータの作動を制御するよう機体に装設せるコントローラに、電気系統の接続不良により生ずる漏電を検出して作動する漏電ブレーカーを組込み、機体の外面には、表示ランプまたは液晶パネルのディスプレーよりなる表示装置を、機体を扱い操作する店員が直視し得る部位に装設し、この表示装置に漏電ブレーカーが作動したときにそれを表示せしめて、点検を指示するようにする清涼飲料のディスペンサーにおける保守管理手段を提起するものである。
【００１４】
また、これに併せて、清涼飲料のディスペンサーにおいて、それに組込まれる冷凍機・アジテータ等の駆動モータを制御するよう機体に装設せるコントローラに、通電中の電圧を検出する電圧センサを組込み、機体の外面には、表示ランプまたは液晶ディスプレーよりなる表示装置を、機体を扱い操作する店員が直視し得る部位に装設し、その表示装置に前記電圧センサを接続して、その電圧センサが通電中の電流に規準電圧より低い電圧を検出したときに、それを表示装置に表示せしめて点検を指示するようにする清涼飲料のディスペンサーにおける保守管理手段を提起し、
【００１５】
また、清涼飲料のディスペンサーの機体に組込む水槽内に、そこに張込む冷却水の水位を検出するレベルセンサおよび張込む冷却水の通電度を検出する水質センサ等を、各別または併せて装設しておき、水槽内の冷却水の水位が規準水位より降下したとき、または冷却水の水質が経時変化により通電度を低下させたときに、それを、ディスペンサーの機体の外面で、そのディスペンサーを扱い操作する店員が直視する部位に設けておく表示ランプまたは液晶ディスプレーよりなる表示装置に、その水位の低下または水質の変化を表示せしめて、冷却水の補充または交換を指示するようにする清涼飲料のディスペンサーにおける保守管理手段を提起し、
【００１６】
さらに、清涼飲料のディスペンサーの、冷凍機のコンプレッサ、放熱器、冷却ファンを収蔵する機械室に、その機械室内の温度を検出する温度センサを設け、それを、機体の外面で、ディスペンサーを扱い操作する店員が直視する部位に設けておく、表示ランプまたは液晶ディスプレーよりなる表示装置に接続し、温度センサが機械室内の異常な昇温を検出したときに、それを表示装置の表示面に表示せしめて、機械室の周壁に設ける冷却ファンの通気口のフィルタの目詰りを点検するよう指示する清涼飲料のディスペンサーの保守管理手段を提起するものである。
【考案の効果】
【００１７】
以上説明したように、本考案手段による清涼飲料のディスペンサーは、それの機体内に装架せる水槽内に張込んだ冷却水の水位が降下したり、経時変化により通電度が低下したりすることで、冷凍機の造氷機能が低下して、清涼飲料の冷却が不充分になったときや、タコ足配線で電源コードを接続することで電圧の低下をきたしているとき、または、冷凍機の冷却ファンの通気口に設けるフィルタに目詰りが生じて、冷媒を放冷する放熱器の機能が不調をきたしているときに、これらの原因を表示装置により表示するようにしているのだから、保守管理が適確に行なえるようになる。
【考案を実施するための最良の形態】
【００１８】
本考案による清涼飲料のディスペンサーにおける保守管理手段は、ディスペンサーＡの機体構成および全体の基本的な構成については従前のディスペンサーと同様に構成してよいものであり、次にその実施の態様を実施例により詳述する。
【実施例１】
【００１９】
図２および図３において、１は機体で、箱状に形成してあり、上面側には開閉自在の蓋１ａが設けられ、底面には支脚１２…が設けてある。
【００２０】
機体１は、それの内腔が前半側と後半側とに２分するように区画されている。
【００２１】
ａは内部に冷却水ｗを張込む水槽で、２分した機体１の内腔の前半側に装架してあり、四周は断熱機で囲われている。
【００２２】
２は、水槽ａ内に配設した清涼飲料の冷却用の蛇管で、それの始端側２ａは、機体１の外面に設けるカップラー２１に導かれ、そこに接続する導管２０を介し、機体１と別に設置するビールの生樽等の清涼飲料が詰められたタンクＴに接続連通し、また、終端側２ｂは、機体１の前面側の機壁に取付けたドラフトコック５に接続させてあり、そのドラフトコック５を操作することで、タンクＴ内の清涼飲料が、そのタンクＴに接続した炭酸ガスを封入せるボンベ等の圧力源Ｑの圧力により押し出され、この蛇管２内を流過し、冷却水ｗにより冷却されて、ドラフトコック５からジョッキ等の適宜の容器Ｂに汲み出されるようになる。
【００２３】
３０は、水槽ａ内の冷却水ｗ中に氷ｋを生成せしめて冷却水ｗを冷却するために水槽ａ内に配設した冷媒蒸発管、４は水槽ａ内の冷却水ｗを撹拌流動させるよう水槽ａ内に配設したアジテータ、Ｍ１はそのアジテータ４を駆動する駆動モータである。
【００２４】
ｂは機体１内の後半側に形成した機械室、３はこの機械室ｂ内に組込んだ冷凍機で、冷媒を圧縮するコンプレッサ３１と、圧縮した冷媒を放熱する放熱器３２と、その放熱器３２に冷却風を供給する冷却ファン３３と、その冷却ファン３３を駆動するファンモータ３４等からなり、コンプレッサ３１は管路３５を介して前述の水槽ａ内に配設した冷媒蒸発管３０の下流側の端部に接続し、放熱器３２内の管路が前記冷媒蒸発管３０の上流側の端部に接続していて、電源コード６を商用電源のコンセントに接続して、コンプレッサ３１の駆動モータ（図示省略）
を駆動することで、冷媒を、コンプレッサ３１により圧縮して放熱器３２で放熱して冷媒蒸発管３０に送り、そこで気化蒸発させて再びコンプレッサ３１に戻るように循環させ、この間に冷媒蒸発管３０を冷やしてそれのまわりに氷ｋを生成するようにしてある。
【００２５】
そして、この機械室ｂには、前記冷却ファン３３が冷却風として外気を取り込む通気口１０を、底面側に開設し、それの内側位置にフィルタＦを、水平な方向に沿い機体１の後方に向け引き出すことで取り出せるように、装脱自在に装着し、また、機体１の後面または側面の適宜の位置に排気口１１を開設している。
【００２６】
７は上述の冷凍機３の作動を、冷媒蒸発管３０のまわりに生成される氷ｋの量に応じて間欠作動させるよう制御させるための氷センサで、それの一対の電極７０・７１が、冷媒蒸発管３０のまわりに生成する氷ｋの厚さ方向に並ぶ姿勢として、その冷媒蒸発管３０のまわりの近傍位置に配位して水槽ａ内に設けてあり、それの電極７０・７１間に氷ｋが存在していることを検出する作動により、機体１内に設けてあるコントローラｃに組込んだ冷凍機３のコンプレッサ３１の駆動モータの制御回路をオフとし、電極７０・７１に氷ｋが無いことを検出する作動により前記制御回路をオンとするようにコントローラｃに接続している。
【００２７】
コントローラｃには、電源コード６を商用電源のコンセントに差込み接続した状態において電気系統の接続不良などで漏電が生じたときに作動する漏電ブレーカー（図示省略）が組込まれる。
【００２８】
８はこの漏電ブレーカーが作動したときに、それを表示するよう機体１の外面に装設した表示装置で、この例においては図３にあるよう、機体１の前面で、そこに設けられるドラフトコック５の側方に位置する部位に、そのドラフトコック５を操作する人の視野に必然的に入って目視さるように装設してある。
【００２９】
この例における表示装置８は、液晶パネル表示面８０を具備する液晶ディスプレー８ａに、複数の表示ランプＬ…を組合せた形態のものとして構成してあり、並設した多数の表示ランプＬ…のうちの、図４において左端側に位置するランプＬ１を、上述した漏電ブレーカーに対応するランプとし、かつ、例えば赤色のランプとして、電源コード６をコンセントに差込み、電源をオンとしたときに、正常に接続されているときには、点灯により、それを表示するメインのランプを兼ねたものとし、漏電ブレーカーが作動したときには、早い速度で点滅を繰返してこの漏電を表示するようにしている。そして、このとき、液晶パネルの表示面８０に、”漏電があります。電源コード６を抜いて、修理を手配して下さい。”などの指示文が表示されるようにしている。
【００３０】
しかして、前述したコントローラｃには、電源コード６を差込んで電源をオンとしたときに、通電中の電流の電圧を検出する電圧センサ（図示省略）が組込まれる。そして、この電圧センサが、例えば、規準電圧の１００Ｖよりも低い８０Ｖ程度の電圧を検出したときに、それを、前述した表示装置８に表示するようにしている。
【００３１】
この表示は、前述の赤色のランプＬ１を用い、それの点滅のインターバルを長くして、ゆっくりした速度で点滅を繰返させることで表示するようにしてよい。
【００３２】
また、このとき、液晶ディスプレーの表示面８０には、”電圧が低下しています。このまま使い続けると、コンプレッサに無理がかかり故障します。タコ足配線を止めて、正しくコンセントに接続しなおして下さい。”などの指示文を表示して点検を指示するようにする。
【００３３】
Ｓ１は水槽ａ内に張込む冷却水ｗの水位を検出するよう水槽ａ内に装設したレベルセンサで、水槽ａ内に配設した冷媒蒸発管３０のまわりに、氷センサ７によりコントロールされて生成される氷ｋよりも少し上方の位置において、冷却水ｗ中に投入するように配位して水槽ａ内に装設してあり、冷却水ｗの水位の低下で、冷却水ｗの上方に露出してくることで水位の低下を検出し、その信号を前述のコントローラｃに送り、これを、表示装置８に表示させるようにしている。
【００３４】
この表示装置８への表示は、この例においては、前述の赤色ランプＬ１の次位に並列する例えば水色としたランプＬ２を用い、冷却水ｗの水位が規準水位付近にあって、レベルセンサＳ１が水位の低下を検出しないときには、このランプＬ２が点灯し続け、レベルセンサＳ１が水位の低下を検出したときに、このランプＬ２がゆっくりした速度で点滅を繰返して、水位の低下を表示するようにしてある。
【００３５】
そして、このとき、液晶ディスプレーの表示面８０には、”水槽内の冷却水の水位が低下しています。冷凍機の造氷に不具合を生じていますから、水槽内の冷却水を水位線まで補充して下さい。”などの指示文を表示するようにしている。
【００３６】
９は水槽ａ内の冷却水ｗの水質を検出するよう水槽ａ内の冷却水ｗ中に配設した水質センサで、氷センサ７と同様に、一対に対向する電極９０・９１を具備せしめた構造のもので、冷却水ｗ中において、一方の電極９０から他方の電極９１に電気が流れるときの、その冷却水ｗの電気伝導度を検出してその検出信号を前述のコントローラｃに送り、そこに設けておく比較回路により所定の電気伝導度と比較させ、それより低い電気伝導度を検出したときに、それを前述の表示装置８に表示させるように作用する。
【００３７】
このときの表示装置８への表示は、この例においては、前述の水位の低下を表示するのに用いた水色のランプＬ２が、短いインターバルをおいて早点滅することで表示させるようにしている。そして、このとき液晶ディスプレーの表示面８０には、”冷却水が古くなって、水質が不良になったことで、冷凍機が氷を造らないようになっています。新しい水道水を交換して下さい。”などの指示文が表示されるようにしている。
【００３８】
この水槽ａ内に設ける水質センサ９は、氷センサ７を、それの一対の電極７０・７１間を冷却水ｗを介して電流が流れるときの冷却水ｗの電気伝導度を常時検出して規準の電気伝導度と比較回路により比較するように構成しておくことで、この氷センサ７をもって共用させるようにすることが可能であり、そのように構成してよい。
【００３９】
Ｓ２は、機械室ｂに組込んだ冷却ファン３３の通気口１０に設けたフィルタＦの目詰りの対策として機械室ｂに装設せる温度センサで、フィルタＦに生ずる目詰りがひどくなると、冷却ファン３３に冷却風の風量が減じて放熱器３２の放冷が効かなくなることで、機械室ｂ内が異常に昇温してくるようになることを利用して、このフィルタＦの目詰りを機械室ｂ内の温度の上昇により検出するようにしたもので、機械室ｂ内の所望の個所に設けるが、この例においては、排気口１１の近傍に設けている。
【００４０】
そして、この温度センサＳ２が機械室ｂ内の温度の異常な上昇を検出したときは、その結果を前述の表示装置８に表示させるが、このとき、同時に冷凍機３の駆動を停止させるようにその冷凍機３の制御回路を制御させる。
【００４１】
表示装置８への表示は、この例においては、複数並列させて設ける表示ランプＬ１・Ｌ２・Ｌ３のうちの、第３位のランプを用い、これを例えば黄色のランプＬ３とし、フィルタＦに目詰りがない正常なときには点灯を続け、温度センサＳ２が異常な昇温を検出したときに、この黄色のランプＬ３が短いインターバルをおいて早点滅を繰返すようにして、目詰りが生じたことを表示させる。
【００４２】
このとき、表示装置８の表示面８０には、”フィルタＦを抜き出して、清掃を行なうようにして下さい”、などの指示文が表示されるようにする。
【００４３】
また、このフィルタＦは、１ヶ月に一度位の頻度で清掃を行なうことが望ましく、そのため、１ヶ月程度の時間で作動するタイマーをコントローラｃに組込み、それがタイムアップしたときに、前述の表示装置８の黄色いランプＬ３がゆっくりした点滅を繰返し、同時に表示装置８の表示面に、フィルタＦを定期的に清掃する時期がきたこと、および、フィルタＦを抜き出して清掃することを指示する指示文が表示されるようにする手段を併設するようにしてよい。この場合は、抜き出したフィルタＦを清掃後に再び装着する動作により、タイマー回路をリセットするよう作動するリセットスイッチ１４を、フィルタＦを抜き差しするレール面に設けておくことが有効である。
【００４４】
また、上述した如く機械室ｂに設ける温度センサＳ２は、冷却ファン３３のファンモータ３４に不調が生じて、冷却ファン３３が正常に作動しないようになったときに、それによる機械室ｂ内の昇温によっても同様に検出作動を行なう。このため、この温度センサＳ２が機械室ｂ内の異常な昇温を検出する作動を行なったときは、ファンモータ３３の点検修理を必要とする場合も有ることから、表示装置８の表示面８０に表示する指示文は、このファンモータ３３の点検、修理を要する場合のあることも併せたものとしておく。
【００４５】
ＳＰは表示装置８に組込んだスピーカで、表示装置８の表示面８０に指示文を表示するときに、その指示文に対応する音声を発するようにコントローラｃに制御させてある。
【図面の簡単な説明】
【００４６】
【図１】従前の清涼飲料のディスペンサーの縦断側面図である。
【図２】本考案の実施せる清涼飲料のディスペンサーの縦断側面図である。
【図３】同上の斜視図である。
【図４】同上の部分の拡大正面図である。
【符号の説明】
【００４７】
Ａ…ディスペンサー、Ｆ…フィルタ、Ｌ…表示ランプ、Ｌ１・Ｌ２・Ｌ３…ランプ、Ｍ１…駆動モータ、Ｓ１…レベルセンサ、Ｓ２…温度センサ、ＳＰ…スピーカ、Ｔ…タンク、Ｑ…圧力源、ａ…水槽、ｂ…機械室、ｃ…コントローラ、ｋ…氷、ｗ…冷却水、１…機体、１ａ…蓋、１０…通気口、１１…排気口、１２…支脚、１３…断熱機、１４…リセットスイッチ、２…蛇管、２ａ…始端側、２ｂ…終端側、２０…導管、２１…カップラー、３…冷凍機、３０…冷媒蒸発管、３１…コンプレッサ、３２…放熱器、３３…冷却ファン、３４…ファンモータ、３５…管路、４…アジテータ、５…ドラフトコック、６…電源コード、７…氷センサ、７０・７１…電極、８…表示装置、８ａ…液晶ディスプレー、８０…表示面、９…水質センサ、９０・９１…電極。
【図１】
0003107045.tif 000003
【図２】
0003107045.tif 000004
【図３】
0003107045.tif 000005
【図４】
0003107045.tif 000006